(57)【要約】【課題】従来、各機器専用リモコンの故障、行方不明時の不便を解消するには、別にマルチリモコン等を準備しておく必要がある。又、マルチリモコンは対象機器に応じ機能切換キー等を再操作する必要があり煩わしい。【解決手段】携帯電話機等の携帯情報端末に赤外線送出部９、赤外線受信部１０を設け、記憶部４にリモコンコード情報を保持し、制御部３にリモコン対応モード時に機器に対しインクワイヤリ指示し応答を第１の所定の時間待ち、一つの機種の応答受信に成功する迄順次次の機種のコードでインクワイヤする手段と、応答を受信した機種をリモコン制御対象機種とし操作内容を入力キー部５のキーに対応させて表示し、入力されたキー対応の操作コードを送出する手段と、最初のキー入力が第２の所定時間内に無い、或いは操作終了より第３の所定時間内にキー入力がなければ次機種のコードからインクワイヤリを続行する手段を有する。【選択図】      図１
2004235723.tif 000002
【特許請求の範囲】
【請求項１】
入力キー部と表示部とこれらを制御する制御部とこれがアクセスする記憶部を含む携帯情報端末において、
送信データを赤外線搬送波に変調し送出する赤外線送出部と、機器からの赤外線搬送波を受け復調する赤外線受信部を設け、
前記記憶部に一つ以上の機種のリモコンコード情報と、操作内容情報を保持し、前記制御部がリモコン自動対応モードが指示されると、機器に対し一つの機種のリモコンコードを用い応答要求を送出し機器からの応答信号を第１の所定時間まで待ち、即ちインクワイヤリ処理をし、応答受信に成功するまで順次次の機種のリモコンコードによるインクワイヤリ処理をする手段と、
応答信号を受信できた機種をリモコン制御対象機種としその操作内容情報を前記キー入力部のキーに対応させて表示する手段と、
入力されたキー対応の操作コードを送出する手段と、
最初のキー入力が第２の所定時間内に無い、或いは対象機種の操作終了より第３の所定時間内に次のキー入力が無ければタイムアウトとし、前記インクワイヤリ処理に戻すタイムアウト処理手段を有することを特徴とする赤外線リモコン付携帯情報端末。
【請求項２】
無線通信部と入力キー部と表示部とこれらを制御する制御部とこれがアクセスする記憶部を含む携帯情報端末において、
送信データを赤外線搬送波に変調し送出する赤外線送出部と、機器からの赤外線搬送波を受け復調する赤外線受信部を設け、
前記記憶部に一つ以上の機種のリモコンコード情報と、操作内容情報と、リモコン操作コードの入手先の通信アドレスを保持し、
前記制御部がリモコン自動対応モードが指示されると、機器に対し一つの機種のリモコンコードを用い応答要求を送出し機器からの応答信号を第１の所定時間まで待ち、即ちインクワイヤリ処理をし、応答受信に成功するまで順次次の機種のリモコンコードを用いインクワイヤリ処理をする手段と、
応答信号を受信できた機種をリモコン制御対象機種とし、その操作コード情報が記憶部に登録されてなければ、自動的に前記入手先アドレスへＷＥＢ接続しリモコン操作コードをダウンロードし記憶部に登録する処理手段と、
前記リモコン制御対象機種の操作内容情報を前記キー入力部のキーに対応させて表示する手段と、
入力されたキー対応の操作コードを送出する手段と、
最初のキー入力が第２の所定時間内に無い、或いは対象機種の操作終了より第３の所定時間内に次のキー入力が無ければタイムアウトとし、前記インクワイヤリ処理に戻すタイムアウト処理手段を有することを特徴とする赤外線リモコン付携帯情報端末。
【請求項３】
制御部の前記インクワイヤリ処理手段が制御を戻されると次の機種からインクワイヤリ処理することを特徴とする請求項１、又は２記載の赤外線リモコン付携帯情報端末。
【請求項４】
前記制御部が機器に対し送出する応答要求を機種コード要求とすることを特徴とする請求項１、又は２記載の赤外線リモコン付携帯情報端末。
【請求項５】
前記記憶部に各機種のリモコンコード情報に付随し機種使用時期を指定できる情報も保持し、前記制御部がリモコン自動対応モードが指示されると、前記使用時期情報を、携帯情報端末のカレンダクロックと較べ使用時期でなければ、その機種を前記インクワイヤリ処理の対象にしない様にする手段も有することを特徴とする請求項１、又は２記載の赤外線リモコン付携帯情報端末。
【請求項６】
前記記憶部に前回使用された機種識別を含む使用履歴記録も保持する様にし、前記制御部の入力されたキー対応の操作コードを送信する手段が、コード送出の際、リモコン制御対象とされている機種の識別を操作履歴一時記憶に設定し、前記タイムアウト処理手段がキー入力待ち中にリモコン自動対応モードのオフを検出すると操作履歴一時記憶の内容で記憶部の前回使用機種識別を更新する様にし、前記インクワイヤリ処理手段がリモコン自動対応モードがオンにされると使用履歴記録を読み出し、前回使用機種を最初にインクワイヤリすることを特徴とする請求項１、又は２記載の赤外線リモコン付携帯情報端末。
【請求項７】
前記記憶部に前回使用された機種識別と機種ごとの使用度数を含む使用履歴記録も保持する様にし、前記制御部の入力されたキー対応の操作コードを送信する手段が、コード送信の際、リモコン制御対象にされている機種の識別を操作履歴一時記憶に設定し、前記タイムアウト処理手段がキー入力待ち中にリモコン自動対応モードのオフを検出すると操作履歴一時記憶の内容で記憶部の前回使用機種識別を更新し、対応機種の使用度数をインクリメントする様にし、前記インクワイヤリ処理手段がリモコン自動対応モードがオンにされると記憶部より使用履歴記録を読み出し、インクワイヤリの順番を前回使用機種を最初とし残りの機種は使用度数の多い順とすることを特徴とする請求項６記載の赤外線リモコン付携帯情報端末。
【請求項８】
前記赤外線リモコン付携帯情報端末は赤外線リモコン付携帯電話機であることを特徴とする請求項１乃至７の何れかに記載の赤外線リモコン付携帯情報端末。
【請求項９】
赤外線搬送波を受信し検波復調しベースバンド信号に戻す赤外線受信部と、送出信号を赤外線搬送波に変調する赤外線送信部と、赤外線受信部からの受信信号に自機器の機種コードが含まれれば、受信した操作コードを判別し応答要求であれば、応答信号を前記赤外線送信部を通じ送出する制御部とを有することを特徴とする被リモコン制御機器。
【請求項１０】
赤外線搬送波を受信し検波復調しベースバンド信号に戻す赤外線受信部と、送出信号を赤外線搬送波に変調する赤外線送信部と、赤外線受信部からの受信信号に自機器の機種コードが含まれれば、受信した操作コードを判別し機種コード要求であれば、自機器の機種コードを前記赤外線送信部を通じ送出する制御部とを有することを特徴とする被リモコン制御機器。
【請求項１１】
入力キー部と、表示部と、記憶部と、送信データを赤外線搬送波に変調し送出する赤外線送出部と、機器からの赤外線搬送波を受け復調する赤外線受信部を含む携帯情報端末のプログラムであって、
リモコン自動対応モードが指示されると、記憶部に保持する一つ以上の機種のリモコンコードを用い機器に対し応答要求を送信し、機器からの応答信号を第１の所定時間待ち、即ちインクワイヤリ処理をし、応答受信に成功するまで順次次の機種のリモコンコードによりインクワイヤリ処理をする手順と、
応答信号を受信できた機種をリモコン制御対象機種としその操作内容情報を記憶部より読出し、これを前記キー入力部のキーに対応させて表示する手順と、
入力されたキー対応の操作コードを送出する手順と、
最初のキー入力が第２の所定時間内に無い、或いは対象機種操作終了より第３の監視時間内に次のキー入力が無ければタイムアウトとし、前記インクワイヤリ処理に戻すタイムアウト処理手順を有することを特徴とするプログラム。
【請求項１２】
無線通信部と、入力キー部と、表示部と、記憶部と、送信データを赤外線搬送波に変調し送出する赤外線送出部と、機器からの赤外線搬送波を受け復調する赤外線受信部を含む携帯情報端末のプログラムであって、
リモコン自動対応モードが指示されると、記憶部に保持する一つ以上の機種のリモコンコードの一つを用い機器に対し応答要求を送信し、機器からの応答信号を第１の所定時間待ち、即ちインクワイヤリ処理をし、応答受信に成功するまで順次次の機種のリモコンコードによりインクワイヤリ処理をする手順と、
応答信号を受信できた機種をリモコン制御対象機種とし、その操作コード情報が記憶部に登録されてなければ、記憶部に登録された入手先の通信アドレスを読出し、それへＷＥＢ接続しリモコン操作コードをダウンロードし記憶部に登録する処理手順と、
前記リモコン制御対象機種の操作内容情報を前記キー入力部のキーに対応させて表示する手順と、
入力されたキー対応の操作コードを送出する手順と、
最初のキー入力が第２の所定時間内に無い、或いは対象機器操作終了より第３の所定時間内に次のキー入力が無ければタイムアウトとし、前記インクワイヤリ処理に戻すタイムアウト処理手順を有することを特徴とするプログラム。
【請求項１３】
前記インクワイヤリ処理手順が制御を戻されると次の機種からインクワイヤリ処理することを特徴とする請求項１１、又は１２記載のプログラム。
【請求項１４】
前記機器に対し送出する応答要求を機種コード要求とすることを特徴とする請求項１１、又は１２記載のプログラム。
【請求項１５】
リモコン自動対応モードが指示されると、各機種の使用時期を指定した使用時期情報を記憶部より読出し、これを携帯情報端末のカレンダクロックと較べ使用時期でなければ、その機器を前記インクワイヤリ処理の対象にしない様にする手順も有することを特徴とする請求項１１、又は１２記載のプログラム。
【請求項１６】
前記入力されたキー対応のコードを送信する手順が、コード送信の際、リモコン制御対象にされている機種の識別を操作履歴一時記憶に設定し、前記タイムアウト処理手順がキー入力待ち中にリモコン自動対応モードのオフを検出すると、前記操作履歴一時記憶の内容で記憶部の前回使用機種識別を更新する様にし、前記インクワイヤリ処理手順がリモコン自動対応モードがオンにされると記憶部より使用履歴記録を読み出し、前回使用機種を最初にインクワイヤリすることを特徴とする請求項１１、又は１２記載のプログラム。
【請求項１７】
前記入力されたキー対応のコードを送信する手順が、コード送信の際、リモコン制御対象とされている機種の識別を操作履歴一時記憶に設定し、前記タイムアウト処理手順がキー入力待ち中にリモコン自動対応モードのオフを検出すると操作履歴一時記憶の内容で記憶部の前回使用機種識別を更新し、対応機種の使用度数をインクリメントする様にし、前記インクワイヤリ処理手順がリモコン自動対応モードがオンにされると記憶部より使用履歴記録を読み出し、インクワイヤリの順番を前回使用機種を最初とし残りの機種は使用度数の多い順とすることを特徴とする請求項１６記載のプログラム。
【発明の詳細な説明】
【０００１】
【発明の属する技術分野】
本発明は携帯情報端末とそのプログラム、及び被リモコン制御機器に関し、特に家庭電気機器や車載機器を操作するリモコン機能も持った赤外線リモコン付携帯情報端末とその制御プログラム、及びリモコンから適合した形式で応答要求指示を受けると自機器の機種コード等で応答を返す機能を持つ被リモコン制御機器に関する。
【０００２】
【従来の技術】
従来、家庭内の電気機器や車載電気機器にはこれらを手元で操作するための専用のリモコンが付属されているが、リモコンの数が多くなるのでリモコンが行方不明になったり、紛失することもある。又、数が多くなる分使いたいリモコンが電池切れや故障で使えないといったことも起こり易い。
【０００３】
この様な不便を低減する方法の一つに、機能切換キーを操作すれば一台で複数の種類の機器を操作できるリモコン送信機がある（例えば特許文献１参照。）。
【０００４】
【特許文献１】
特開平１０−３０４４８０号公報（段落［００１７］）
【０００５】
【発明が解決しようとする課題】
上記リモコン送信機では１台でテレビやＶＴＲ等複数の機器の操作ができるが使用者は機能切換キーを操作しＬＣＤディスプレイに表示される制御対象機器名が目的の機器か確認し、異なれば機能切換キーを再操作する必要がある。従って、使用者が操作する上で非常に煩わしいという問題がある。又新規購入した機器等のコードを追加することは言及されてない。
【０００６】
更に、上記リモコン送信機等のマルチリモコンを、別に購入し準備する必要があるのでユーザのコスト負担が生じる。
【０００７】
【課題を解決するための手段】
本発明の第１の赤外線リモコン付携帯情報端末は、入力キー部と表示部とこれらを制御する制御部とこれがアクセスする記憶部を含む携帯情報端末において、送信データを赤外線搬送波に変調し送出する赤外線送出部と、機器からの赤外線搬送波を受け復調する赤外線受信部を設け、前記記憶部に一つ以上の機種のリモコンコード情報と、操作内容情報を保持し、前記制御部がリモコン自動対応モードが指示されると、機器に対し一つの機種のリモコンコードを用い応答要求を送出し機器からの応答信号を第１の所定時間まで待ち、即ちインクワイヤリ処理をし、応答受信に成功するまで順次次の機種のリモコンコードによるインクワイヤリ処理をする手段と、応答信号を受信できた機種をリモコン制御対象機種としその操作内容情報を前記キー入力部のキーに対応させて表示する手段と、入力されたキー対応の操作コードを送出する手段と、最初のキー入力が第２の所定時間内に無い、或いは対象機種の操作終了より第３の所定時間内に次のキー入力が無ければタイムアウトとし、前記インクワイヤリ処理に戻すタイムアウト処理手段を有することを特徴とする。
【０００８】
本発明の第２の赤外線リモコン付携帯情報端末は、無線通信部と入力キー部と表示部とこれらを制御する制御部とこれがアクセスする記憶部を含む携帯情報端末において、送信データを赤外線搬送波に変調し送出する赤外線送出部と、機器からの赤外線搬送波を受け復調する赤外線受信部を設け、前記記憶部に一つ以上の機種のリモコンコード情報と、操作内容情報と、リモコン操作コードの入手先の通信アドレスを保持し、前記制御部がリモコン自動対応モードが指示されると、機器に対し一つの機種のリモコンコードを用い応答要求を送出し機器からの応答信号を第１の所定時間まで待ち、即ちインクワイヤリ処理をし、応答受信に成功するまで順次次の機種のリモコンコードを用いインクワイヤリ処理をする手段と、応答信号を受信できた機種をリモコン制御対象機種とし、その操作コード情報が記憶部に登録されてなければ、自動的に前記入手先アドレスへＷＥＢ接続しリモコン操作コードをダウンロードし記憶部に登録する処理手段と、前記リモコン制御対象機種の操作内容情報を前記キー入力部のキーに対応させて表示する手段と、入力されたキー対応の操作コードを送出する手段と、最初のキー入力が第２の所定時間内に無い、或いは対象機種の操作終了より第３の所定時間内に次のキー入力が無ければタイムアウトとし、前記インクワイヤリ処理に戻すタイムアウト処理手段を有することを特徴とする。
【０００９】
本発明の第３の赤外線リモコン付携帯情報端末は、前記第１、又は第２の赤外線リモコン付携帯情報端末に於いて、制御部の前記インクワイヤリ処理手段が制御を戻されると次の機種からインクワイヤリ処理することを特徴とする。
【００１０】
本発明の第４の赤外線リモコン付携帯情報端末は、前記第１、又は第２の赤外線リモコン付携帯情報端末に於いて、前記制御部が機器に対し送出する応答要求を機種コード要求とすることを特徴とする。
【００１１】
本発明の第５の赤外線リモコン付携帯情報端末は、前記第１、又は第２の赤外線リモコン付携帯情報端末に於いて、前記記憶部に各機種のリモコンコード情報に付随し機種使用時期を指定できる情報も保持し、前記制御部がリモコン自動対応モードが指示されると、前記使用時期情報を、携帯情報端末のカレンダクロックと較べ使用時期でなければ、その機種を前記インクワイヤリ処理の対象にしない様にする手段も有することを特徴とする。
【００１２】
本発明の第６の赤外線リモコン付携帯情報端末は、前記第１、又は第２の赤外線リモコン付携帯情報端末に於いて、前記記憶部に前回使用された機種識別を含む使用履歴記録も保持する様にし、前記制御部の入力されたキー対応の操作コードを送信する手段が、コード送出の際、リモコン制御対象とされている機種の識別を操作履歴一時記憶に設定し、前記タイムアウト処理手段がキー入力待ち中にリモコン自動対応モードのオフを検出すると操作履歴一時記憶の内容で記憶部の前回使用機種識別を更新する様にし、前記インクワイヤリ処理手段がリモコン自動対応モードがオンにされると使用履歴記録を読み出し、前回使用機種を最初にインクワイヤリすることを特徴とする。
【００１３】
本発明の第７の赤外線リモコン付携帯情報端末は、前記第６の赤外線リモコン付携帯情報端末に於いて、前記記憶部に前回使用された機種識別と機種ごとの使用度数を含む使用履歴記録も保持する様にし、前記制御部の入力されたキー対応の操作コードを送信する手段が、コード送信の際、リモコン制御対象にされている機種の識別を操作履歴一時記憶に設定し、前記タイムアウト処理手段がキー入力待ち中にリモコン自動対応モードのオフを検出すると操作履歴一時記憶の内容で記憶部の前回使用機種識別を更新し、対応機種の使用度数をインクリメントする様にし、前記インクワイヤリ処理手段がリモコン自動対応モードがオンにされると記憶部より使用履歴記録を読み出し、インクワイヤリの順番を前回使用機種を最初とし残りの機種は使用度数の多い順とすることを特徴とする。
【００１４】
本発明の第８の赤外線リモコン付携帯情報端末は、前記第１乃至第７の何れかの赤外線リモコン付携帯情報端末に於いて、前記赤外線リモコン付携帯情報端末は赤外線リモコン付携帯電話機であることを特徴とする。
【００１５】
本発明の第１の被リモコン制御機器は、赤外線搬送波を受信し検波復調しベースバンド信号に戻す赤外線受信部と、送出信号を赤外線搬送波に変調する赤外線送信部と、赤外線受信部からの受信信号に自機器の機種コードが含まれれば、受信した操作コードを判別し応答要求であれば、応答信号を前記赤外線送信部を通じ送出する制御部とを有することを特徴とする。
【００１６】
本発明の第２の被リモコン制御機器は、赤外線搬送波を受信し検波復調しベースバンド信号に戻す赤外線受信部と、送出信号を赤外線搬送波に変調する赤外線送信部と、赤外線受信部からの受信信号に自機器の機種コードが含まれれば、受信した操作コードを判別し機種コード要求であれば、自機器の機種コードを前記赤外線送信部を通じ送出する制御部とを有することを特徴とする。
【００１７】
本発明の第１のプログラムは、入力キー部と、表示部と、記憶部と、送信データを赤外線搬送波に変調し送出する赤外線送出部と、機器からの赤外線搬送波を受け復調する赤外線受信部を含む携帯情報端末のプログラムであって、リモコン自動対応モードが指示されると、記憶部に保持する一つ以上の機種のリモコンコードを用い機器に対し応答要求を送信し、機器からの応答信号を第１の所定時間待ち、即ちインクワイヤリ処理をし、応答受信に成功するまで順次次の機種のリモコンコードによりインクワイヤリ処理をする手順と、応答信号を受信できた機種をリモコン制御対象機種としその操作内容情報を記憶部より読出し、これを前記キー入力部のキーに対応させて表示する手順と、入力されたキー対応の操作コードを送出する手順と、最初のキー入力が第２の所定時間内に無い、或いは対象機種操作終了より第３の監視時間内に次のキー入力が無ければタイムアウトとし、前記インクワイヤリ処理に戻すタイムアウト処理手順を有することを特徴とする。
【００１８】
本発明の第２のプログラムは、無線通信部と、入力キー部と、表示部と、記憶部と、送信データを赤外線搬送波に変調し送出する赤外線送出部と、機器からの赤外線搬送波を受け復調する赤外線受信部を含む携帯情報端末のプログラムであって、リモコン自動対応モードが指示されると、記憶部に保持する一つ以上の機種のリモコンコードの一つを用い機器に対し応答要求を送信し、機器からの応答信号を第１の所定時間待ち、即ちインクワイヤリ処理をし、応答受信に成功するまで順次次の機種のリモコンコードによりインクワイヤリ処理をする手順と、応答信号を受信できた機種をリモコン制御対象機種とし、その操作コード情報が記憶部に登録されてなければ、記憶部に登録された入手先の通信アドレスを読出し、それへＷＥＢ接続しリモコン操作コードをダウンロードし記憶部に登録する処理手順と、前記リモコン制御対象機種の操作内容情報を前記キー入力部のキーに対応させて表示する手順と、入力されたキー対応の操作コードを送出する手順と、最初のキー入力が第２の所定時間内に無い、或いは対象機器操作終了より第３の所定時間内に次のキー入力が無ければタイムアウトとし、前記インクワイヤリ処理に戻すタイムアウト処理手順を有することを特徴とする。
【００１９】
本発明の第３のプログラムは、前記第１、又は第２のプログラムに於いて、前記インクワイヤリ処理手順が制御を戻されると次の機種からインクワイヤリ処理することを特徴とする。
【００２０】
本発明の第４のプログラムは、前記第１、又は第２のプログラムに於いて、前記機器に対し送出する応答要求を機種コード要求とすることを特徴とする。
【００２１】
本発明の第５のプログラムは、前記第１、又は第２のプログラムに於いて、リモコン自動対応モードが指示されると、各機種の使用時期を指定した使用時期情報を記憶部より読出し、これを携帯情報端末のカレンダクロックと較べ使用時期でなければ、その機器を前記インクワイヤリ処理の対象にしない様にする手順も有することを特徴とする。
【００２２】
本発明の第６のプログラムは、前記第１、又は第２のプログラムに於いて、前記入力されたキー対応のコードを送信する手順が、コード送信の際、リモコン制御対象にされている機種の識別を操作履歴一時記憶に設定し、前記タイムアウト処理手順がキー入力待ち中にリモコン自動対応モードのオフを検出すると、前記操作履歴一時記憶の内容で記憶部の前回使用機種識別を更新する様にし、前記インクワイヤリ処理手順がリモコン自動対応モードがオンにされると記憶部より使用履歴記録を読み出し、前回使用機種を最初にインクワイヤリすることを特徴とする。
【００２３】
本発明の第７のプログラムは、前記第６のプログラムに於いて、前記入力されたキー対応のコードを送信する手順が、コード送信の際、リモコン制御対象とされている機種の識別を操作履歴一時記憶に設定し、前記タイムアウト処理手順がキー入力待ち中にリモコン自動対応モードのオフを検出すると操作履歴一時記憶の内容で記憶部の前回使用機種識別を更新し、対応機種の使用度数をインクリメントする様にし、前記インクワイヤリ処理手順がリモコン自動対応モードがオンにされると記憶部より使用履歴記録を読み出し、インクワイヤリの順番を前回使用機種を最初とし残りの機種は使用度数の多い順とすることを特徴とする。
【００２４】
【発明の実施の形態】
次に、本発明の実施の形態について図面を参照して詳細に説明する。図１は本発明の赤外線リモコン付携帯情報端末の好適例としての赤外線リモコン付携帯電話の構成を示すブロック図である。
【００２５】
図１を参照し、赤外線リモコン付携帯電話は送受信アンテナ１、無線部２、制御部３、記憶部４、入力キー部５、レシーバ６、マイク７、表示部８、赤外線送出部９、赤外線受信部１０で構成される。
【００２６】
送受信アンテナ１、無線部２は携帯電話機としてのアンテナ、無線部である。記憶部４は不揮発性のメモリであり、各機器のリモコンコード情報、機器の動作種別フラグ（連続操作タイプ／否）と各機器の各コードの動作内容、連続操作タイプの機器のキーに付随して動作電源オフ指定、動作電源オンオフ指定の付随フラグを含む。又各機種に対応して使用時期情報、使用履歴情報を含む。
【００２７】
各機種のリモコンコード情報には機種コード（カスタムコード）と応答要求（インクワイヤリ）コード、操作コードを含む。入力キー部５、表示部８は携帯電話機としてのキー群、表示部であり、リモコンモードでも同じキー群、表示部を使用する。
【００２８】
赤外線送出部９は制御部３からの送信データを受け、シリアルビット列に変換し各ビットをＰＰＭ（パルス位置変調）等を行い、これで赤外線搬送波を変調する。赤外線発光ダイオードや駆動回路、変調や変換手段を持つ。
【００２９】
赤外線受信部１０は、機器からの赤外線搬送波を受け電気信号に変換し、増幅し検波し、パルス位置変調等された信号を復調し機器からのベースバンド信号を取り出し、シリアル−パラレル変換する。フォトダイオード、増幅、検波回路、復調、変換手段を持つ。
【００３０】
制御部３にはプロセッサ或いはマイコン、ＲＡＭ部を含みこれのプログラムによりリモコンモードへの遷移、リモコン動作等の制御を実現できる。
【００３１】
図２は本発明の被リモコン制御機器（リモコン制御される機器）の構成を示したブロック図である。図２を参照し、本発明の被リモコン制御機器とは例えば赤外線リモコンによって操作されるテレビ、ビデオ、音響機器、冷暖房機、ドアロック等の機器、車載用機器（カーステレオ、カーナビゲーション装置、ドアロック装置等）である。
【００３２】
本発明の被リモコン制御機器は、制御部１１、記憶部１２、赤外線送出部１３、赤外線受信部１４、機器メイン部１５で構成され、赤外線受信部１４は赤外線搬送波を受けると、電気信号に変換し、検波し、ＰＰＭ等の変調された信号を得てベースバンドの信号に復調する。
【００３３】
制御部１１は赤外線受信部１４を通じ、赤外線リモコンからの信号を解読し、リーダコードに続く自機種コードを検出すると自機器宛信号と見なし後続のコードを解釈する。これが応答要求であれば、応答コードを赤外線送出部１３を通じ送出する。操作指示コードであれば対応した制御を機器メイン部１５に出力する。
【００３４】
赤外線送出部１３は、送出コードをＰＰＭ等の変調をし、更に赤外線の搬送波に変換する。記憶部１２には応答コード、操作コードを保持している。
【００３５】
尚、本実施形態では応答要求を機種コード要求としている。従って被リモコン制御機器は自機器の機種コードを返す。
【００３６】
図３は赤外線リモコン付携帯電話機の記憶部４の内、リモコンコード情報とそれに付随する情報を示した図である。
【００３７】
リモコンコード情報としては機種コード（カスタムコード）、機器に対し機種コード送信を要求するインクワイヤリ（ＩＮＱ）コード、形式（送信、受信フォーマット）を保持している。
【００３８】
機種コード（カスタムコード）、インクワイヤリコードは例えば８ビットであり、１６進数表現している。機種コードは機器のメーカ及び機器の種別により異なっている。
【００３９】
形式は送信や受信をカスタムコード、反転カスタムコード、操作コード、反転操作コードの形式で送り、一般的形式であれば０とし、その他のメーカ独自の形式である場合は１や２等としており、機器への機種コード送信要求や操作指示送信信号作成、受信データの解読に使用される。
【００４０】
操作コードＰＴ、ＣＴは操作コード情報のポインタ（記憶部４上のアドレス）とエントリ数である。
【００４１】
付随情報としては連続操作フラグ、使用時期情報、使用回数情報を有している。連続操作フラグは１ビットの情報であり、その機種が連続操作タイプ／否を示している。
【００４２】
使用時期情報は、例えば全て０でなければ使用する月を表している。機種ＩＤ１や２は無指定であり、特に限定しないことを示し、機種ＩＤ４は１月から３月及び１２月に限り使用する可能性があることを示している。
【００４３】
使用度数情報はそれまでの使用度数を表している。使用回数を更新した際に使用回数ワードの２進数表現における最上位ビットが立つと、使用回数が０或いは１である機種ＩＤのエントリを除いたエントリの値を、右１ビットシフトしオバーフローしないように調整される。
【００４４】
図４は記憶部４に保持される各機種の操作コード、付随情報について機種ＩＤが１の例で示した図である。
【００４５】
項番は例えば、操作コードに割り当てられた携帯電話機のキーコードも兼ねている。機種ＩＤ＝１（機種Ａ）のリモコン操作モードになると、図３の機種ＩＤ１の情報に続き、図４の項番欄、動作内容欄の情報がリモコン操作メニューとして表示される。
【００４６】
キー「０」の押下を検出すると、項番０の操作コード８１（１６進）が読み出され、Ａ１（機種コード）、５Ｅ（反転機種コード）、８１（操作コード）、７Ｅ（反転操作コード）がこの順に結合され送信される。
【００４７】
オフ指定は機器の動作電源オフを指示する操作コードであること、オンオフ指定は機器の動作電源オンオフ（トグル）を指示する操作コードであることをそれぞれ示す１ビットのフラグである。
【００４８】
尚、機種コード、インクワイヤリコード、各操作コードを送信形式で記憶部４に保持する様にしてもよい。
【００４９】
次に、本発明の実施の形態の動作について図面を参照して説明する。先ず、第１の実施例について赤外線リモコン付携帯電話の制御部３の動作ないし処理手順を図５〜図７のフローチャートに示す。
【００５０】
制御部３は使用者によりリモコン自動対応モードに設定されたかをチェックし、設定されれば（ステップＡ１）、記憶部４より各機種ＩＤの使用時期情報を読み出し、携帯電話機のカレンダクロックの月と比較し、時期が適合しない機種ＩＤ（＝４、機器Ｄ）は除外する（ステップＡ２）。
【００５１】
次に時期の適合する機種について使用履歴を読み出す。この機種使用履歴には前回使用機種と、機種ごとの使用回数を含み、前回使用機種が機種Ａであり、使用回数は機種Ｂ、機種Ａ、機種Ｃの順に多かったとする。制御部３は機種確認の順番を前回使用の機種を最優先し、残りの機種は使用回数順とし、機種Ａ、機種Ｂ、機種Ｃの順に決める（ステップＡ３）。
【００５２】
制御部３は”機器Ａ”の機種コード要求信号を赤外線送出部９より信号を赤外線に変換して送出する（ステップＡ４）。機器の種類を表すためにここでは機器Ａ、機器Ｂ、機器Ｃと”機器Ａ”、”機器Ｂ”、”機器Ｃ”を変えて機種を表す。
【００５３】
リモコンの信号コードはメーカー及び、機種により違うため、機器Ａが携帯電話機からの機器Ａの機種コード要求信号を受信すれば、機器Ａは機種コード要求信号を認識し、機器Ａの機種コードを送出する。
【００５４】
機器Ａ以外の機器がステップＡ４にて送出した機種コード要求信号を受信した場合は、信号が何であるか判断できない。
【００５５】
赤外線受信部１０で”機器Ａ”の機種コードを機種コード要求送出後Ｘ秒以内に”機器Ａ”の機種コードを受信すれば（ステップＡ５）、携帯電話機は機器Ａ対応のリモコンモードとなる（ステップＡ６）。
【００５６】
ステップＡ５にて”機器Ａ”の機種コード要求送出後Ｘ秒以内に機種コードを受信できなければ、”機器Ｂ”の機種コード要求信号を赤外線送出部９より送出する（ステップＡ７）。
【００５７】
赤外線受信部１０で”機器Ｂ”の機種コードを機種コード要求信号送出後Ｘ秒以内に受信すれば（ステップＡ８）、携帯電話機は”機器Ｂ”対応のリモコンモードとなる（ステップＡ９）。
【００５８】
ステップＡ８にて”機器Ｂ”の機種コード要求信号送出後Ｘ秒以内に機種コードを受信できなければ、”機器Ｃ”の機種コード要求信号を赤外線送出部９より送出する（ステップＡ１０）。
【００５９】
同様に”機器Ｃ”機種コードを受信すれば（ステップＡ１１）、機器Ｃリモコンモードとなり（ステップＡ１２）、受信できなければステップＡ４に戻る。
【００６０】
尚、図示してないがリモコン自動対応モードがオフするとインクワイヤ動作は中止する。又、機器の数は４に限らず５台以上を対象としてインクワイヤリしてもよい。
【００６１】
ステップＡ６、ステップＡ９、ステップＡ１２での制御部３がリモコンモードに入った時の動作を図６を用いて説明する。ここでは特に機器Ａリモコンモードに入った場合を説明する。機器Ｂリモコンモード、機器Ｃリモコンモードの場合も同様な動作をする。
【００６２】
制御部３は、赤外線受信部１０で受信した機種コードにより、例えば”機器Ａ”の機種コードを受信していれば、赤外線で操作される機器が”機器Ａ”（機種Ａ）であると判断する（ステップＡ２０）。
【００６３】
”機器Ａ”に対応したリモコン操作コードや付随情報を記憶部４より読み出す（ステップＡ２１）。表示メニューをリモコン操作メニューに切り替える。即ち、表示部８に操作種類と割り当てられているキーを表示する（ステップＡ２２）。
【００６４】
機器Ａの操作可能状態になり、キー操作の監視タイマーをＹ秒に設定する（ステップＡ２３）。
【００６５】
機器Ａのリモコン操作が無く（ステップＡ２４）、自動対応モードのオフ操作も受けなければ（ステップＡ２９）、監視時間タイムアウト（機器Ａ操作可能状態になった後Ｙ秒経過）すれば（ステップＡ３０）、インクワイヤリ順を次の機器（機器Ｂ）からとし図５のステップＡ７に戻り、再び機種コード要求信号を送出する動作に入る。
【００６６】
ステップＡ２３にて機器Ａ操作可能状態になった後Ｙ秒経過していなく自動対応モードオフ（自動対応モード指定のオフ操作、通話の着信や発信）でなければ機器Ａ操作可能状態が維持され、機器Ａのリモコン操作が有った場合（ステップＡ２４）、操作されたキーに対応した機器Ａのリモコンコードを送出する（ステップＡ２５）。
【００６７】
監視タイマをリセットしておき（ステップＡ２６）、操作履歴一時記憶を機器Ａ（機種ＩＤ＝１）に設定しておく（ステップＡ２７）。操作終了条件でなければ（ステップＡ２８）、自動対応モードがオフにならなければタイムアウトは発生しないので機器Ａのリモコン操作（キー入力）待ちになりステップＡ２５以降を繰り返す。
【００６８】
ステップＡ２８で操作終了を判定すれば、監視タイマーをＺ秒に設定する（ステップＡ２６）。
【００６９】
自動対応モードオフを受けず、監視時間タイムアウト（キー操作終了してからＺ秒経過）までは、機器Ａのリモコン操作待ちを維持し再操作あればステップＡ２５〜Ａ３０が繰り返される。
【００７０】
この間に自動対応モードオフ信号を受けると（ステップＡ２９）、操作履歴一時記憶内容を使用履歴記憶の前回使用機器エリアに記憶し、一時記憶が示す機器の使用回数がインクリメントされ記憶される（ステップＡ３２）。
【００７１】
監視時間タイムアウト（機器Ａリモコン操作終了後Ｚ秒経過）すると（ステップＡ３０）、図５のＡ７にリターンし、再び機種コード要求信号を送出する動作に入る。
【００７２】
ここで機器に対する操作終了の判定を行う方式例は、機器の種別に応じリモコンによる動作指示に関し連続操作タイプ／１回操作タイプの区分フラグを機器対応に持つ。
【００７３】
又、連続操作タイプの機器のキーに付随して動作電源オフ指定、動作電源オンオフ指定（各１ビット）を持たせる。
【００７４】
そして、機器Ａ操作可能状態に入った際（ステップＡ２３）でファーストインジケータをセットし、監視タイマリセット時（ステップＡ２６）及び監視時間タイムアウト時このインジケータはリセットする。
【００７５】
連続操作タイプ機器（ＴＶ、ビデオ、音響機器、及び動作電源オン指示してから操作内容指示する機器）では、電源オフ指定のキーのコードを送出した、或いは、ファーストインジケータオフ時に動作電源オンオフ指定キーのコードを送出したときに動作の操作を終了したと判定する。１回操作タイプの機器では最初の操作で動作の操作を終了したと判定する。
【００７６】
この他、動作の操作が終了したかの判定はキーコード送出後そのリモコン制御機器乃至機種にステータス要求を送出し、機器乃至機種より動作電源のステータスを受信して判定する方式もある。又、キー動作内容を示す表示に「操作終了」と対応キー（例えば「９」）を併せて表示し、「９」キー押下を検出すると操作終了とする方式であってもよい。
【００７７】
何れにしてもこれらの方式では前記連続操作タイプ／１回操作タイプの区分フラグや、オフ指定、オンオフ指定等のフラグ情報は不要である。
制御部３は常時機種コード要求信号を送出し、機種コードが確認できたら確認した機器の操作が可能なモードにし、操作終了後ある時間、使用者が何も操作しなかった場合には再び機種コード要求確認をする動作をする。
【００７８】
使用者が携帯している携帯電話機が、赤外線リモコンにより操作される機器に近づくだけで、携帯電話機は上記機器をリモコン操作可能な状態にして、使用者が何もせず上記機器から立ち去った場合は再び赤外線リモコン操作可能な機器を探す動作が可能となる。
【００７９】
図８に上記ステップＡ２２のリモコン操作メニュー表示の例を示す。機器ＡがＴＶであり、携帯電話機の入力キー部５の”０”キーで機器ＡのＯＮ／ＯＦＦ操作されることを示している。他のキーについても同様である。
【００８０】
図７は前記図６のステップＡ２４とＡ２５の動作を詳細に示したフロチャートである。図７を参照し、表示が図８のリモコンメニューに切り替わり機器Ａ操作可能モードになった状態で、例えば電源ＯＮ／ＯＦＦ操作に割り当てられている”０”キーを使用者が押下した場合（ステップＡ２４）、制御部３は記憶部４より機器Ａの”０”キーに対応するリモコンコードを読み出す（ステップＡ２５−１）。
【００８１】
読み出したリモコンコードを赤外線送出部９で赤外線に変換し送出する（ステップＡ２５−２）。
【００８２】
送出された赤外線リモコンコードを機器Ａが受信し、機器Ａは電源ＯＮ／ＯＦＦ動作する。
【００８３】
次に赤外線によって操作される機器の制御部１１の動作を図９のフローチャートに示す。赤外線によって操作される機器の制御部１１は、赤外線信号待ち状態にあるとし、赤外線受信部１４で赤外線リモコンコードを受信し（ステップＣ１）、受信信号コードが機種コード要求信号であれば（ステップＣ２）、自機の機種コード（カスタムコード）を記憶部１２より読み出し（ステップＣ４）、自機の機種コードを赤外線送出部１３より送出する（ステップＣ５）。
【００８４】
ステップＣ２にて受信した受信信号コードが機種コード要求信号でなければ、受信信号コードに応じた動作をする（ステップＣ３）。例えば携帯電話機が機器備え付けのリモコンが出力する信号と同様の赤外線信号を出すのでこれに応じた通常動作をする。
【００８５】
以上の第１の実施例の説明では赤外線リモコン付携帯情報端末を赤外線リモコン付携帯電話機として説明したが、ＰＤＡ、電子手帳、パームトップコンピュータ等の携帯情報端末であってもよい。
【００８６】
次に本発明の第２の実施例について説明する。前記第１の実施例に較べて制御部３は、赤外線リモコンによって操作される機器のリモコンコードが、予め記憶部４に記憶されていない場合、自動的にＷＥＢ接続を行いリモコンコードをサイトからダウンロードしリモコン制御できる様にする機能が追加されている。
【００８７】
又、記憶部４には各機器の動作内容と対応コード情報を提供するＵＲＬ等の通信アドレスが登録されている。
【００８８】
本実施例の動作は、前記第１の実施例の動作説明の内、リモコンモード状態になった制御部３が操作される機器が”機器Ａ”であると判断し、”機器Ａ”に対応したリモコンコードを記憶部４より読み出す動作（ステップＡ２１）が相違する。
【００８９】
従ってこの動作について図１０及び図１１のフロチャートを参照し説明する。制御部３Ａは、操作される機器が例えば機器Ａと判断すると、”機器Ａ”に対応したリモコンコードの記憶部４からの読出要求を発生する（ステップＢ１）。
【００９０】
機器Ａに対応したリモコンコードが記憶部４に記憶されているか確認し、記憶されていれば（ステップＢ２）、機器Ａのリモコンコードを記憶部４から読み出す（ステップＢ３）。これにて表示メニューがリモコンモードに切り替わり、機器Ａリモコン操作可能な機器Ａ使用可能状態になる。
【００９１】
記憶されていなければ自動でＷＥＢ接続可能か確認する。ＷＥＢ接続許可モードになっていれば（ステップＢ４）、ＷＥＢ接続モードとなる。ＷＥＢ接続許可になっていなければ表示部８に”リモコンデータ入手のためＷＥＢ接続しますか？”の表示をする（ステップＢ５）。
【００９２】
キー入力が”はい”に相当するキーが押下されていれば（ステップＢ６）、ＷＥＢ接続モードに入る。キー入力が”いいえ”に相当するキーが押下されていれば、ＷＥＢ接続によるデータ入手が許可されていないため、ＷＥＢ接続できない旨を表示部８に表示する（ステップＢ７）。
【００９３】
図１１に移り、ＷＥＢ接続モードに入った場合、記憶部４より機器Ａに対応するＷＥＢ接続のためのアドレスを読み出す（ステップＢ８）。
【００９４】
読み出したアドレスにＷＥＢ接続し、機器Ａのリモコンコードをダウンロードする（ステップＢ９）。ダウンロードしたデータを機器Ａのリモコンコードとして記憶部４に記憶する（ステップＢ１０）。次にステップＢ３以降の処理がされ、機器Ａ使用可能状態になる。
【００９５】
以上の第２の実施例の説明では赤外線リモコン付携帯情報端末を赤外線リモコン付携帯電話機として説明したが、無線通信機能とインターネットアクセス機能を持つＰＤＡ、パームトップコンピュータ等であってもよい。
【００９６】
【発明の効果】
以上説明した様に本発明によれば、赤外線リモコンによって操作される機器に赤外線受信部だけでなく赤外線送信部も設け、携帯端末と機器との間で赤外線通信をする構成とすることにより、携帯端末上から赤外線によって操作する機器が何であるかを判別できるため、使用者が使用する前に予め機器メーカー入力等の初期設定をしたり、メニュー画面を変更したりすることなく操作を開始できる。即ち、使用者の携帯端末上での操作を簡略化し、操作の煩わしさを解消できる。
【００９７】
また、赤外線リモコンによって操作される機器のリモコンコードが携帯端末の記憶部に予め記憶されていない場合には、自動的にＷＥＢ接続し、リモコンコードを取得できる様にし、操作の煩わしさを解消するだけでなく、予め記憶するデータ量を減らし、記憶部の容量の節約もできる。
【００９８】
又、携帯電話機等の携帯情報端末にはリモコン機能を実現する為のＨＷの過半が備わっておりこれを利用することで、コスト負担の小さい、専用リモコン代替手段を提供できる。
【図面の簡単な説明】
【図１】本発明の赤外線リモコン付携帯情報端末の例としての赤外線リモコン付携帯電話の構成を示すブロック図。
【図２】本発明の被リモコン制御機器の構成を示したブロック図。
【図３】図１の携帯電話機の記憶部４の内容の内、リモコンコード情報とそれに付随する情報を示した図。
【図４】図１の記憶部４に保持される各機種の操作コード、付随情報内容を機種ＩＤが１の例で示した図。
【図５】図１の赤外線リモコン付携帯電話機の制御部３の動作ないし処理手順を示したフローチャート。
【図６】図１の赤外線リモコン付携帯電話機の制御部３がリモコンモードに入った時の動作ないし処理手順を示したフローチャート。
【図７】図６のステップＡ２４、Ａ２５の詳細動作ないし手順を示したフローチャート。
【図８】図１の赤外線リモコン付携帯電話機の表示部８に表示するリモコン操作メニューの例を示した図。
【図９】本発明の被リモコン制御機器の制御部１１の動作を示したフロチャート。
【図１０】図１の赤外線リモコン付携帯電話機の第２実施例の制御部３の動作ないし処理手順を示したフローチャート。
【図１１】図１の赤外線リモコン付携帯電話機の第２実施例の制御部３の動作ないし処理手順を示したフローチャート。
【符号の説明】
１    送受信アンテナ
２    無線部
３、３Ａ    制御部
４    記憶部
５    入力キー部
６    レシーバ
７    マイク
８    表示部
９    赤外線送出部
１０    赤外線受信部
１１    制御部
１２    記憶部
１５    機器メイン部
【図１】
2004235723.tif 000003
【図２】
2004235723.tif 000004
【図３】
2004235723.tif 000005
【図４】
2004235723.tif 000006
【図５】
2004235723.tif 000007
【図６】
2004235723.tif 000008
【図７】
2004235723.tif 000009
【図８】
2004235723.tif 000010
【図９】
2004235723.tif 000011
【図１０】
2004235723.tif 000012
【図１１】
2004235723.tif 000013